【事件の表示】
　特許第５８９３７４２号に関する訂正審判事件について、次のとおり審決する。
【結　論】
　特許第５８９３７４２号の特許請求の範囲を本件審判請求書に添付された訂正特許請求の範囲のとおり、訂正後の請求項〔１５−２３〕について訂正することを認める。 
【理　由】
第１　手続の経緯
　本件審判請求に係る特許第５８９３７４２号は、２０１１年（平成２３年）９月２２日を国際出願日とする特願２０１４−５３１３２１号の請求項１ないし３０に係る発明について、平成２８年３月４日に特許権の設定登録がなされたものであるところ、平成２８年３月２８日に本件審判請求がなされたものである。
第２　請求の趣旨
　本件審判請求の趣旨は、特許第５８９３７４２号の特許請求の範囲を本件審判請求書に添付した訂正特許請求の範囲のとおり、訂正後の請求項１５ないし２３について訂正することを認める、との審決を求めるものである。
第３　訂正の内容
（訂正事項１）
　特許請求の範囲の請求項１５に記載される「前記抗体は、近位尿細管、遠位尿細管、集合管およびヘンレループからなる群より選択される腎構造において好ましくかつ示差的に発現されるタンパク質に対する抗体である」を「前記
尿試料を濃縮するための
第４　当審の判断
１　訂正の目的の適否について
　特許請求の範囲の請求項１５には、上記訂正事項１に係る記載の前段に、
「　（ａ）少なくとも１ステップの免疫精製を用いて、尿試料をエキソソーム画分を得るために濃縮するための抗体と、
　（ｂ）前記エキソソーム画分について濃縮された尿試料中の急性腎損傷（ＡＫＩ）マーカーを検出するための抗体と
を含み、」
との記載があり、「少なくとも１ステップの免疫精製を用いて、尿試料をエキソソーム画分を得るために濃縮するための抗体」(以下「抗体（ａ）」という。）と、「エキソソーム画分について濃縮された尿試料中の急性腎損傷（ＡＫＩ）マーカーを検出するための抗体」（以下「抗体（ｂ）」という。）との二種類の抗体が記載されている。
　上記訂正事項１に関し、訂正前の記載における「前記抗体」という記載箇所についてみると、「前記抗体」が、それ以前に記載された「抗体（ａ）」及び「抗体（ｂ）」のいずれの抗体を指すのかが明瞭でない。
　これに対し、上記訂正事項１に関し、訂正後の記載における「前記
尿試料を濃縮するための
　してみると、訂正事項１は、「前記抗体」が「抗体（ａ）」及び「抗体（ｂ）」のいずれの抗体を指すのかが明瞭でない記載について、「抗体（ａ）」を指すことを明瞭にするものである。
　よって、訂正事項１は、特許法第１２６条第１項ただし書第３号に掲げる「明瞭でない記載の釈明」を目的とするものである。
２　訂正が本件特許明細書、特許請求の範囲又は図面（以下「本件特許明細書等」という。）に記載した事項の範囲内のものであるか否かについて
　訂正事項１に関連する記載として、本件特許明細書には、例えば、以下の記載がある（下線は当審で付加したものである。）。
【００７３】
「　本発明では、少なくとも１つの免疫精製ステップを、尿試料をエキソソームについて濃縮するための手段と考える。特に、腎臓の特異的構造において好ましくかつ示差的に発現する特定のタンパク質の細胞内ドメイン、細胞外ドメイン、または任意のドメインに対する抗体を用いることにより、エキソソームの濃縮が可能となる。」
【００９１】
「　本発明は、被験体における
ＡＫＩの発生を
早期に決定するため
診断用キット
少なくとも１つの免疫精製ステップを用いて、尿試料をエキソソームについて濃縮するための手段
【００９３】
「　本発明では、少なくとも１つの免疫精製ステップを、尿試料をエキソソームについて濃縮するための手段と考える。特に、好ましくは、かつ、
示差的に、腎臓の特異的構造において発現する特定のタンパク質の細胞内ドメイン、細胞外ドメイン、または任意のドメインに対する抗体を用いることにより、エキソソームについての濃縮が可能となる。
【０１０１】
「　好ましい実施形態では、
キットは、抗ＡＱＰ１、抗ＡＱＰ２、抗ＡＱＰ３、抗ＮＫＣＣ２、抗ＮＨＥ−３、抗ＮａＰｉＩＩ、またはこれらの組合せの任意のドメインに対する抗体であって、
尿試料をエキソソームについて濃縮するための手段としての抗体を含む
【０１０４】
「　一実施形態では、
抗ＡＱＰ−１を、特異的な腎構造に由来する特異的な画分を免疫精製するのに用いる場合、エキソソーム画分は、近位尿細管に由来し
【０１０５】
「　一実施形態では、
抗ＡＱＰ−２を、特異的な腎構造に由来する特異的な画分を免疫精製するのに用いる場合、エキソソーム画分は、遠位尿細管に由来し
【０１０６】
「　一実施形態では、
抗ＡＱＰ−３を、特異的な腎構造に由来する特異的な画分を免疫精製するのに用いる場合、エキソソーム画分は、集合管に由来し
【０１０７】
「　一実施形態では、
抗ＮＫＣＣ２を、特異的な腎構造に由来する特異的な画分を免疫精製するのに用いる場合、エキソソーム画分は、ヘンレループに由来し
【０１０８】
「　一実施形態では、
抗ＮＨＥ−３を、特異的な腎構造に由来する特異的な画分を免疫精製するのに用いる場合、エキソソーム画分は、近位尿細管に由来し
【０１０９】
「　一実施形態では、
抗ＮａＰｉＩＩを、特異的な腎構造に由来する特異的な画分を免疫精製するのに用いる場合、エキソソーム画分は、近位尿細管に由来し
　上記段落【００９１】及び【００９３】の記載から、ＡＫＩの発生を早期に決定するための診断用キットが、少なくとも１つの免疫精製ステップを用いて、尿試料をエキソソームについて濃縮するための手段として、示差的に、腎臓の特異的構造において発現する特定のタンパク質の細胞内ドメイン、細胞外ドメイン、または任意のドメインに対する抗体を用いることが理解できる。
　また、上記段落【０１０１】の記載から、キットに用いる尿試料をエキソソームについて濃縮するための手段としての抗体として、抗ＡＱＰ１、抗ＡＱＰ２、抗ＡＱＰ３、抗ＮＫＣＣ２、抗ＮＨＥ−３、抗ＮａＰｉＩＩ、またはこれらの組合せの任意のドメインに対する抗体を含むことが理解できる。
　そして、上記段落【０１０４】ないし【０１０９】の記載から、抗ＡＱＰ−１、抗ＮＨＥ−３及び抗ＮａＰｉＩＩは近位尿細管に示唆的に発現するタンパク質に対する抗体であり、抗ＡＱＰ−２は遠位尿細管に示唆的に発現するタンパク質に対する抗体であり、抗ＡＱＰ−３は集合管に示唆的に発現するタンパク質に対する抗体であり、抗ＮＫＣＣ２はヘンレループに示唆的に発現するタンパク質に対する抗体であることが理解できる。
　してみると、ＡＫＩの発生を早期に決定するための診断用キットが、少なくとも１つの免疫精製ステップを用いて、尿試料をエキソソームについて濃縮するための、示差的に、腎臓の特異的構造において発現する特定のタンパク質の抗体として、近位尿細管に示唆的に発現するタンパク質に対する抗体、遠位尿細管に示唆的に発現するタンパク質に対する抗体、集合管に示唆的に発現するタンパク質に対する抗体、ヘンレループに示唆的に発現するタンパク質に対する抗体、またはこれらの組合せを含むことが理解できることから、訂正事項１は、本件特許明細書等の記載に基づくものであって、本件特許明細書等のすべてを総合することにより導かれる技術的事項との関係において新たな技術的事項を導入するものではなく、本件特許明細書等に記載した事項の範囲内のものである。
　よって、訂正事項１は特許法第１２６条第５項の規定に適合する。
３　訂正が実質上特許請求の範囲を拡張し、又は変更するものであるか否かについて
　訂正事項１は、上記「１　訂正の目的の適否について」のとおり、明瞭でない記載の釈明を目的とするものであって、訂正の前後で特許請求の範囲に記載された発明の拡張又は変更はなく、実質上特許請求の範囲を拡張し、又は変更するものには該当しないから、特許法第１２６条第６項の規定に適合する。
４　一群の請求項について
　訂正前の請求項１５〜２３は訂正事項１を含む訂正前の請求項１５の記載を訂正前の請求項１６〜２３が引用しているものであるから、特許法第１２６条第３項に規定する一群の請求項である。
　したがって、これらに対応する訂正後の請求項１５〜２３も一群の請求項である。
　よって、本件訂正審判の請求に係る訂正は特許法第１２６条第３項の規定に適合する。
第５　むすび
　以上のとおりであるから、本件訂正審判の請求に係る訂正は、特許法第１２６条第１項ただし書第３号に掲げる事項を目的とするものであり、かつ、同条第３項、第５項及び第６項の規定に適合するものである。
　よって、結論のとおり審決する。